(57)【特許請求の範囲】
【請求項１】
同一駐車場内に利便性の良い通常駐車領域と、利便性の悪い特定駐車領域を有する駐車場の入庫口に、入庫車輌を検知すると入庫時刻を記録した駐車券を発行して入庫を許可し、また、定期券が挿入されると入庫を許可する入庫管理部を設け、出庫口には、上記の駐車券を料金精算機に読み取らせて駐車料金の精算を済ませた場合、及び、上記の定期券が挿入された場合に、車輌の出庫を許可する出庫管理部を設けた駐車場管理装置であって、
上記利便性の悪い特定駐車領域への入口部分に、上記の駐車券又は定期券に対して、特定駐車領域への利用開始時刻を含む利用開始ステータスを記録する入口認証部を設け、上記特定駐車領域の出口部分には、上記の駐車券又は定期券に対して、特定駐車領域の利用終了時刻を含む利用終了ステータスを記録する出口認証部を設けると共に、上記駐車場の出庫管理部には、上記駐車券に特定駐車領域への利用開始と終了の各ステータスが両方存在する場合に、駐車券に記録されている入庫時刻と、特定駐車領域の利用開始と終了の各ステータスデータ、及び、現在時刻とから、駐車時間とその料金、並びに、特定駐車領域の利用に基づく割引き料金を算出・表示して、駐車料金の割引きを行い、上記の定期券に上記特定駐車領域の利用開始と終了の各ステータスデータの記録が無い場合には、通常の駐車領域を利用したものとして、入庫時刻に基づいて計算した駐車時間から通常の駐車料金を算出・表示して、駐車料金を課金する駐車料金精算手段を設けたことを特徴とする駐車場管理装置。
【請求項２】
駐車場が平面式駐車場又は自走式立体駐車場である場合に、入庫口や出庫口に近くて、利用客も容易に利用できる使用上便利な駐車領域が、前記利便性の良い通常駐車領域であり、それ以外の利用上不便な駐車領域が前記利便性の悪い特定駐車領域であると共に、駐車場が平面式駐車場と機械式駐車場又は自走式立体駐車場とが併合された併合式駐車場である場合には、平面式駐車場の領域が前記利便性の良い通常駐車領域であり、機械式駐車場又は自走式立体駐車場の駐車領域が前記利便性の悪い特定駐車領域であることを特徴とする請求項１に記載の駐車場管理装置。
【発明の詳細な説明】
【技術分野】
【０００１】
本発明は、有料駐車場内に利便性の良い駐車領域と利便性の悪い駐車領域が存在する場合に、利便性の悪い駐車領域の利用を促進させて、双方の駐車領域の利用率を均一化し、駐車場全体の利用率を高めることを可能にした駐車場管理装置に関するものである。
【背景技術】
【０００２】
駐車領域の利便性に合わせて、異なる課金単価が設定されている課金体系を用いた駐車場管理装置に関しては、従来より、例えば特許文献１に記載の「駐車場及び駐車場運営支援システム」が存在する。
【０００３】
この特許文献１に記載の駐車システムは、構内に形成された複数の駐車ますに対して、その利便性に合わせて異なる課金単価を設定することにより、駐車ます数分の課金体系を構築し、利用客にこれ等駐車ますを自由に選ばせて駐車させるように構成したものであって、利便性の悪い駐車ます（スペース）の駐車料金を安く設定することにより、その利用を促進させる特徴を備えている。
【特許文献１】特開２００１−２７３５３１号公報
【発明の開示】
【発明が解決しようとする課題】
【０００４】
しかし、上記特許文献１に記載された駐車システムは、複数の駐車ます（駐車スペース）の夫々に駐車券用の発券装置が備えられていて、車輌を駐車させる際に、夫々の駐車スペースで駐車券を発券するように構成されているために、駐車場の設備が極めて大掛かりになってコストが嵩んでしまい、容易に実施できない問題があった。
【０００５】
そこで本発明の技術的課題は、比較的構成が簡単で実施が容易な装置を用いて、利便性の悪い駐車領域に対する利用を促進させて、駐車全体の利用率を高めることを可能にした駐車場管理装置を提供することである。
【課題を解決するための手段】
【０００６】
（１）  上記の技術的課題を解決するために、本発明の請求項１に記載の駐車場管理装置は、同一駐車場内に利便性の良い通常駐車領域と、利便性の悪い特定駐車領域を有する駐車場の入庫口に、入庫車輌を検知すると入庫時刻を記録した駐車券を発行して入庫を許可し、また、定期券が挿入されると入庫を許可する入庫管理部を設け、出庫口には、上記の駐車券を料金精算機に読み取らせて駐車料金の精算を済ませた場合、及び、上記の定期券が挿入された場合に、車輌の出庫を許可する出庫管理部を設けた駐車場管理装置であって、上記利便性の悪い特定駐車領域への入口部分に、上記の駐車券又は定期券に対して、特定駐車領域への利用開始時刻を含む利用開始ステータスを記録する入口認証部を設け、上記特定駐車領域の出口部分には、上記の駐車券又は定期券に対して、特定駐車領域の利用終了時刻を含む利用終了ステータスを記録する出口認証部を設けると共に、上記駐車場の出庫管理部には、上記駐車券に特定駐車領域への利用開始と終了の各ステータスが両方存在する場合に、駐車券に記録されている入庫時刻と、特定駐車領域の利用開始と終了の各ステータスデータ、及び、現在時刻とから、駐車時間とその料金、並びに、特定駐車領域の利用に基づく割引き料金を算出・表示して、駐車料金の割引きを行い、上記の定期券に上記特定駐車領域の利用開始と終了の各ステータスデータの記録が無い場合には、通常の駐車領域を利用したものとして、入庫時刻に基づいて計算した駐車時間から通常の駐車料金を算出・表示して、駐車料金を課金する駐車料金精算手段を設けたことを特徴としている。
【０００７】
（２）  更に本発明の請求項２に記載の駐車場管理装置は、駐車場が平面式駐車場又は自走式立体駐車場である場合に、入庫口や出庫口に近くて、利用客も容易に利用できる使用上便利な駐車領域が、前記利便性の良い通常駐車領域であり、それ以外の利用上不便な駐車領域が前記利便性の悪い特定駐車領域であると共に、駐車場が平面式駐車場と機械式駐車場又は自走式立体駐車場とが併合された併合式駐車場である場合には、平面式駐車場の領域が前記利便性の良い通常駐車領域であり、機械式駐車場又は自走式立体駐車場の駐車領域が前記利便性の悪い特定駐車領域であることを特徴としている。
【０００８】
上記（１）で述べた請求項１に係る手段によれば、通常の駐車領域と利便性の悪い特定駐車領域とで駐車料金に格差を設け、特定駐車領域の入口と出口には認証部を設けて、特定駐車領域に駐車した場合は、該利便性の悪い特定駐車領域に駐車した旨のステータスが利用開始時刻並びに利用終了時刻と共に駐車券又は定期券に記録可能に構成したから、車輌の出庫に際しては、駐車券又は定期券に記録されたこれ等のステータスに従って駐車料金の割引き精算を可能とし、また、定期券に上記利用開始と終了の時刻を含むステータスが無い場合は、割り増し精算が可能になるものであって、特定駐車領域に認証部を設けるだけの比較的簡単な構成によって、駐車領域の利用率を均一化して、駐車場全体の利用率を高めることを可能にする。
【０００９】
上記（２）で述べた請求項２に係る手段によれば、駐車場における利便性や各種条件を考慮に入れて、平面式駐車場や、多階層構造の自走式立体駐車場の場合は、入庫口や出庫口に対する距離的条件、或いは、時間的条件、その他環境的条件等に合わせて、利便性の良い駐車領域と利便性の悪い駐車領域とに区分けして、差別料金化により、利便性の悪い駐車領域の利用を促進可能にする一方、平面式駐車場と機械式駐車場や多階層構造の自走式立体駐車場が併合された併合式駐車場の場合には、簡単に駐車ができる平面式駐車場を利便性の良い駐車領域とし、駐車に時間や手間が掛かる機械式駐車場や自走式立体駐車場を利便性の悪い駐車領域として、差別料金化により、利便性の悪い機械式駐車場や自走式立体駐車場の利用を促進することを可能にする。
【発明の効果】
【００１０】
以上述べた次第で、本発明に係る駐車場管理装置によれば、利便性の悪い特定駐車領域に、この特定駐車領域を利用したことを証明するステータスを駐車券、又は、定期券に記録する認証部を設けるだけの極めて簡単な装置を使用するだけで、利便性の良い駐車領域と、利便性の悪い駐車領域における利用率の均一化を図って、駐車場全体の利用率を高めることを可能にした駐車場を、低コストにて実現できる利点を発揮できると共に、既設の駐車場にも容易に実施できる利点を発揮することができる。
【発明を実施するための最良の形態】
【００１１】
以下に、上述した本発明に係る駐車場管理装置の実施の形態を図面と共に説明すると、図１は本発明を実施した平面式駐車場１０の一例を示した構成図であって、図中、１０Ａと１０Ｂは平面式駐車場１０の入庫口と出庫口、１１はこれ等入庫口１０Ａ及び出庫口１０Ｂに近く、また、その他距離的条件、時間的条件、或いは、その他環境的条件等に優れた利便性の良い通常駐車領域（スペースＩ）、１２は反対に上記各条件が悪くて使用上不便な利便性の悪い特定駐車領域（スペースII）で、１３はこれ等２つの駐車領域１１と１２を区画するブロック、柵、ロープ、ライン、壁等の区画手段、１２Ａは区画された上記特定駐車領域１２への入口、１２Ｂはその出口を示す。
【００１２】
また、１は上記駐車場１０の入庫口１０Ａの部分に設けた駐車券発行機や定期券読取機（図示省略）等を用いた入庫管理部、４は上記駐車場１０の出庫口１０Ｂに設けた料金精算機や定期券読取機（図示省略）等を用いた出庫管理部であって、入庫管理部１は、入庫車輌を検知すると入庫時刻を記録した駐車券６を発行し、且つ、入口ゲート（図示省略）を開いて車輌の入庫を許可したり、入庫車輌を検知すると定期券５の挿入を可能にして、挿入された定期券５が正常なものである場合は、定期券５の返却と入口ゲートの開放を行って、車輌の入庫を許可する仕組みに成っている。
【００１３】
２は上記特定駐車領域１２の入口１２Ａの部分に設けた入口認証機等から成る入口認証部、３は特定駐車領域１２の出口１２Ｂの部分に設けた出口認証機等の出口認証部で、入口認証部２は車輌を入口１２Ａより特定駐車領域１２に入庫させる際に、前記駐車券６又は定期券５にその利用開始ステータス（利用開始時刻を含むステータスデータ）を記録し、出口認証部３は車輌が出口１２Ｂを通って特定駐車領域１２から出庫する際に、上記の駐車券６又は定期券５に対してその利用終了ステータス（終了時刻を含むステータスデータ）を記録するように構成されている。
【００１４】
また、前述した出庫管理部４は、挿入された駐車券６に特定駐車領域１２の開始時刻と終了時刻を含む利用開始と終了の各ステータスデータ（一方のステータスデータだけでは不可）が認められる場合は、駐車券６に記録されている入庫時刻と、特定駐車領域１２の利用開始と終了の時刻を含んだ各ステータスデータ、及び、現在時刻とから、駐車時間とその料金、及び、特定駐車領域１２の利用に基づく割引き料金を算出・表示して、利用客がこの割引き料金の精算を済ませると、出口ゲートを開いて車輌の出庫を許可するが、駐車券６に上記特定駐車領域の利用開始と終了の両ステータスデータの記録が認められない場合には、通常の駐車領域１１を利用したものとして、入庫時刻から通常の駐車料金を算出・表示し、この料金の精算が済むと出口ゲートを開いて出庫を許可する仕組みに成っている。
【００１５】
更に上記の出庫管理部４は、挿入された定期券５に特定駐車領域１２の利用開始と終了の各ステータスデータ（一方のステータスデータだけでは不可）が認められる場合は、出口ゲートを開いて車輌の出庫を許可するが、定期券５に各ステータスデータの記録が無い場合には、通常の駐車領域１１を利用したものとして、入庫時刻に基づいて計算した駐車時間からペナルティーの駐車料金を算出・表示して、この駐車料金の精算が済むと出口ゲートを開いて車輌の出庫を許可するように構成されている。
【００１６】
尚、図示した実施例では、定期券５として特定駐車領域１２（スペースII）専用のものが示されているが、通常駐車領域１１を課金せずに利用できるスペースＩ用の定期券５を用いて、特定駐車領域１２を利用した場合に限って、その利用時間に見合った金額を算出・記録集計して、後日、その金額を返金したり、定期券５の期限を延長する等の各種サービスを行うようにしてもよい。
【００１７】
また、図１において５Ｒと６Ｒは、定期券５と駐車券６を用いて車輌を特定駐車領域１２に駐車させた後、出庫させる流れを説明したライン（コース）を示し、また、５Ｒ′と６Ｒ′は、車輌を通常の駐車領域１１に駐車及び出庫させる場合の流れを説明したライン（コース）である。
【００１８】
図２と図３は、上記本発明に係る駐車場管理装置の操作手順を説明したフローチャートであって、図２（Ａ）に示したステップＳ１からステップＳ４の処理は、車輌を駐車場１０（通常駐車領域１１）に入庫させる処理手順を示し、図２（Ｂ）に示したステップＳ５からステップＳ８の処理は、駐車券６と定期券５を用いて、車輌を利便性の悪い特定駐車領域１２へ入庫させる入口認証の処理手順を示す。
【００１９】
また、図３（Ｃ）に示したステップＳ９からステップＳ１１は、車輌を上記特定駐車領域１２から出庫させる場合の出口認証の処理手順を示し、図３（Ｄ）に示したステップＳ１２からステップＳ１５は、車輌を駐車券６又は定期券５を用いて駐車場１０から出庫させる場合の処理手順を示したものである。
【００２０】
図４は、本発明の他の実施例を示した構成図であって、図中、２０は平面式駐車場の中に機械式駐車場（機械式立体駐車場）が存在する併合式駐車場、２０Ａと２０Ｂはこの駐車場２０の入庫口と出庫口で、この実施例に示す併合式駐車場２０では、平面式駐車場のエリアが利便性の良い通常駐車領域２１と成り、機械式駐車場又は機械式立体駐車場のエリアが、利便性の悪い特定駐車領域２２と成る。
【００２１】
更に図中、２３は上記通常駐車領域２１と特定駐車領域２２、即ち、平面式駐車場と機械式駐車場を区画するブロック、柵、壁等の区画手段、２２Ａと２２Ｂは上記特定駐車領域２２（機械式駐車場）への入庫バースと出庫バースを示し、また、１は上記入庫口２０Ａの部分に設けた駐車券発行機や定期券読取機（図示省略）等を用いた入庫管理部で、４は上記出庫口２０Ｂの部分に設けた料金精算機や定期券読取機（図示省略）等を用いた出庫管理部であって、これ等入庫管理部１と出庫管理部４の構成とその処理動作は、前記図１に示した実施例のものと同じであるから、ここではその説明を省略する。
【００２２】
更に図４において、２Ｘは上記入庫バース２２Ａの部分に設けた入庫バース制御盤等を用いた入口認証部、３Ｘは上記出庫バース２２Ｂの部分に設けた出庫バース制御盤等を用いた出口認証部で、入口認証部２Ｘは、車輌を入庫バース２２Ａを通して特定駐車領域２２（機械式駐車場）に入庫させる際に、前記駐車券６又は定期券５にその利用開始のステータスを記録すると共に、機械式駐車装置を作動して車輌を決められた駐車位置に搬送処理することができる。
【００２３】
また、出口認証部３Ｘは上記の駐車券６又は定期券５の挿入を受けると、上記の機械式駐車装置を作動して車輌を出口バース２２Ｂに搬送処理すると共に、駐車券６又は定期券５に特定駐車領域２２の利用終了ステータスを記録する仕組みに成っていて、出庫時に、これ等利用開始と終了の各ステータス（各時刻を含む）が駐車券６又は定期券５に存在するか否かを出庫管理部４が読み取ることにより、課金単価に変化を与える差別料金化によって、特定駐車領域２２の利用を促進させることは、前記図１に示した実施例と同一である。
【図面の簡単な説明】
【００２４】
【図１】本発明に係る駐車場管理装置が実施された平面式駐車場の構成を説明した構成図。
【図２】（Ａ）は本発明を用いた入庫処理の手順を示したフローチャート、（Ｂ）は本発明を用いた入口認証の処理手順を説明したフローチャート。
【図３】（Ｃ）は本発明を用いた出口認証の処理手順を説明したフローチャート、（Ｄ）は本発明を用いた出庫処理の手順を説明したフローチャート。
【図４】本発明に係る駐車場管理装置が実施された併合式駐車場の構成を説明した構成図。
【符号の説明】
【００２５】
１            入庫管理部
２，２Ｘ      入口認証部
３，３Ｘ      出口認証部
４            出庫管理部  
５            定期券
６            駐車券
１０          平面式駐車場
１０Ａ        入庫口
１０Ｂ        出庫口
１１，２１          利便性の良い通常駐車領域    
１２，２２          利便性の悪い特定駐車領域
１２Ａ        入口
１２Ｂ        出口
２０          併合式駐車場
２０Ａ        入庫口
２０Ｂ        出庫口
【図１】
0004658484.tif 000002
【図２】
0004658484.tif 000003
【図３】
0004658484.tif 000004
【図４】
0004658484.tif 000005